(57)【特許請求の範囲】
【請求項１】
コンピュータが、通信ネットワークを介して前記コンピュータと情報を送受する画像管理サーバとの間の認証処理が完了した後、撮影指示を受け付ける段階と、
前記コンピュータが、
前記撮影指示に基づいて、撮影処理を実行し、
前記撮影指示を受け付けた後、ユーザから、撮影された画像の画像データを前記画像管理サーバに送信するための明示的な指示を受け付けることなく、前記画像データの前記画像管理サーバへの送信処理を実行する段階と、
を有し、
前記送信処理は、
ユーザから、前記撮影された画像の属性情報の入力を受け付けるステップと、
前記画像データと前記属性情報とを対応付けて、前記画像管理サーバに送信するステップと、
を有し、
前記属性情報は、前記撮影された画像の閲覧を許可される閲覧者に関する情報、又は、前記撮影された画像の閲覧を禁止される閲覧者に関する情報を含み、
前記画像管理サーバは、前記コンピュータから前記撮影された画像の画像データ及び前記属性情報を受信すると、前記属性情報に含まれる前記閲覧者に関する情報に基づいて、１以上の閲覧用データの中から、前記撮影された画像を追加すべき閲覧用データを選択し、前記撮影された画像が予め定められた規則に従って配置された閲覧用データを生成するように構成されている、
方法。
【請求項２】
コンピュータが、撮影指示を受け付ける段階と、
前記コンピュータが、
前記撮影指示に基づいて、撮影処理を実行し、
前記撮影指示を受け付けた後、ユーザから、撮影された画像の画像データを画像管理サーバに送信するための明示的な指示を受け付けることなく、通信ネットワークを介して、前記画像管理サーバとの間で認証処理を実行し、撮影された画像の画像データの前記画像管理サーバへの送信処理を実行する段階と、
を有し、
前記送信処理は、
ユーザから、前記撮影された画像の属性情報の入力を受け付けるステップと、
前記画像データと前記属性情報とを対応付けて、前記画像管理サーバに送信するステップと、
を有し、
前記属性情報は、前記撮影された画像の閲覧を許可される閲覧者に関する情報、又は、前記撮影された画像の閲覧を禁止される閲覧者に関する情報を含み、
前記画像管理サーバは、前記コンピュータから前記撮影された画像の画像データ及び前記属性情報を受信すると、前記属性情報に含まれる前記閲覧者に関する情報に基づいて、１以上の閲覧用データの中から、前記撮影された画像を追加すべき閲覧用データを選択し、前記撮影された画像が予め定められた規則に従って配置された閲覧用データを生成するように構成されている、
方法。
【請求項３】
前記画像管理サーバとの間の通信速度が予め定められた値よりも大きいか否かを判断する段階と、
前記通信速度が予め定められた値よりも大きいと判断されなかった場合に、前記撮影された画像の解像度及び大きさを予め定められた値に調整して、前記画像データのデータ容量を小さくする段階と、
をさらに有する、
請求項１又は請求項２に記載の方法。
【請求項４】
前記画像データと前記属性情報とを対応付けて、前記画像管理サーバに送信するステップは、前記データ容量の小さな画像データと前記属性情報とを対応付けて、前記画像管理サーバに送信するステップを有し、
前記送信処理は、前記データ容量の小さな画像データを前記画像管理サーバに送信した後、解像度及び大きさが前記予め定められた値に調整されていない画像データを、前記画像管理サーバに送信する段階をさらに有する、
請求項３に記載の方法。
【請求項５】
前記送信処理は、
前記閲覧者に関する情報の要否に関する情報が含まれた前記撮影処理の設定情報を参照して、前記閲覧者に関する情報の要否を判断するステップと、
前記閲覧者に関する情報が必要であると判断された場合に、ユーザから、前記撮影された画像の閲覧者に関する情報を取得するステップと、
を有する、
請求項４に記載の方法。
【請求項６】
前記送信処理は、
通信状況を判断するステップと、
前記通信状況が良好であると判断された場合に、前記画像データを前記画像管理サーバに送信するステップと、
前記通信状況が不良であると判断された場合に、前記送信処理を中断するステップと、
を有する、
請求項１から請求項５までの何れか一項に記載の方法。
【請求項７】
前記画像データを、有線回線及び近距離無線回線の少なくとも一方を介して、前記画像管理サーバとは別の記憶装置に保存する保存処理を実行する段階と、
前記保存されている画像データの容量又は前記記憶装置の記憶容量が予め定められた条件を満たす場合に、前記保存されている画像データにより示される画像の属性情報に基づいて、前記記憶装置に保存されている画像データの少なくとも一部を消去する段階と、
を更に備え、
前記保存されている画像データにより示される画像の属性情報は、当該画像の解像度又は画像サイズに関する情報、当該画像に含まれる被写体に関する情報、及び、当該画像の閲覧者に関する情報から選択される少なくとも１つである、
請求項１から請求項６までの何れか一項に記載の方法。
【請求項８】
前記認証処理は、
メモリに格納された前記画像管理サーバの認証情報を読み出すステップと、
前記メモリから読み出された前記認証情報を、前記画像管理サーバに送信するステップと、
を有する、
請求項１から請求項７までの何れか一項に記載の方法。
【請求項９】
前記画像管理サーバが、前記撮影された画像が予め定められた規則に従って配置された１以上の閲覧用データを生成する段階をさらに有する、
請求項１から請求項８までの何れか一項に記載の方法。
【請求項１０】
コンピュータが、通信ネットワークを介して、コンテンツ管理サーバとの間で認証処理を実行する段階と、
コンピュータが、通信ネットワークを介して前記コンピュータと情報を送受するコンテンツ管理サーバとの間の認証処理が完了した後、コンテンツ取得指示を受け付ける段階と、
前記コンピュータが、
前記コンテンツ取得指示に基づいて、コンテンツ取得処理を実行し、
前記コンテンツ取得指示を受け付けた後、ユーザから、取得されたコンテンツを前記コンテンツ管理サーバに送信するための明示的な指示を受け付けることなく、前記コンテンツの前記コンテンツ管理サーバへの送信処理を実行する段階と、
を有し、
前記送信処理は、
ユーザから、前記コンテンツの属性情報の入力を受け付けるステップと、
前記コンテンツ及び前記属性情報を対応付けて、前記コンテンツ管理サーバに送信するステップと、
を有し、
前記属性情報は、前記コンテンツの閲覧を許可される閲覧者に関する情報、又は、前記コンテンツの閲覧を禁止される閲覧者に関する情報を含み、
前記コンテンツは、画像データ、音声データ、嗅覚データ、味覚データ及び触覚データからなる群から選択される少なくとも１つであり、
前記コンテンツ管理サーバは、前記コンピュータから前記コンテンツ及び前記属性情報を受信すると、前記属性情報に含まれる前記閲覧者に関する情報に基づいて、１以上の閲覧用データの中から、前記コンテンツを追加すべき閲覧用データを選択し、前記コンテンツが予め定められた規則に従って配置された閲覧用データを生成するように構成されている、
方法。
【請求項１１】
コンピュータが、コンテンツ取得指示を受け付ける段階と、
前記コンピュータが、
前記コンテンツ取得指示に基づいて、コンテンツ取得処理を実行し、
前記コンテンツ取得指示を受け付けた後、ユーザから、取得されたコンテンツをコンテンツ管理サーバに送信するための明示的な指示を受け付けることなく、通信ネットワークを介して、前記コンテンツ管理サーバとの間で認証処理を実行し、取得されたコンテンツの前記コンテンツ管理サーバへの送信処理を実行する段階と、
を有し、
前記送信処理は、
ユーザから、前記コンテンツの属性情報の入力を受け付けるステップと、
前記コンテンツ及び前記属性情報を対応付けて、前記コンテンツ管理サーバに送信するステップと、
を有し、
前記属性情報は、前記コンテンツの閲覧を許可される閲覧者に関する情報、又は、前記コンテンツの閲覧を禁止される閲覧者に関する情報を含み、
前記コンテンツは、画像データ、音声データ、嗅覚データ、味覚データ及び触覚データからなる群から選択される少なくとも１つであり、
前記コンテンツ管理サーバは、前記コンピュータから前記コンテンツ及び前記属性情報を受信すると、前記属性情報に含まれる前記閲覧者に関する情報に基づいて、１以上の閲覧用データの中から、前記コンテンツを追加すべき閲覧用データを選択し、前記コンテンツが予め定められた規則に従って配置された閲覧用データを生成するように構成されている、
方法。
【請求項１２】
前記コンテンツ管理サーバとの間の通信速度が予め定められた値よりも大きいか否かを判断する段階と、
前記通信速度が予め定められた値よりも大きいと判断されなかった場合に、前記コンテンツの解像度及び大きさを予め定められた値に調整して、前記コンテンツのデータ容量を小さくする段階と、
をさらに有する、
請求項１０又は請求項１１に記載の方法。
【請求項１３】
前記コンテンツ及び前記属性情報を対応付けて、前記コンテンツ管理サーバに送信するステップは、前記データ容量の小さなコンテンツと前記属性情報とを対応付けて、前記コンテンツ管理サーバに送信するステップを有し、
前記送信処理は、前記データ容量の小さなコンテンツを前記コンテンツ管理サーバに送信した後、解像度及び大きさが前記予め定められた値に調整されていないコンテンツを、前記コンテンツ管理サーバに送信する段階をさらに有する、
請求項１２に記載の方法。
【請求項１４】
前記コンテンツは画像データであり、
前記画像データを、有線回線及び近距離無線回線の少なくとも一方を介して、前記コンテンツ管理サーバとは別の記憶装置に保存する保存処理を実行する段階と、
前記保存されている画像データの容量又は前記記憶装置の記憶容量が予め定められた条件を満たす場合に、前記保存されている画像データにより示される画像の属性情報に基づいて、前記記憶装置に保存されている画像データの少なくとも一部を消去する段階と、
を更に備え、
前記保存されている画像データにより示される画像の属性情報は、当該画像の解像度又は画像サイズに関する情報、当該画像に含まれる被写体に関する情報、及び、当該画像の閲覧者に関する情報から選択される少なくとも１つである、
請求項１０から請求項１３までの何れか一項に記載の方法。
【請求項１５】
前記コンテンツ管理サーバが、前記コンテンツが予め定められた規則に従って配置された１以上の閲覧用データを生成する段階をさらに有する、
請求項１０から請求項１４までの何れか一項に記載の方法。
【請求項１６】
コンピュータに、請求項１から請求項１５までの何れか一項に記載の方法を実行させるためのプログラム。
【請求項１７】
通信ネットワークを介した画像管理サーバとの間の認証処理が完了した後、撮影指示を受け付ける指示受付部と、
前記撮影指示に基づいて、撮影処理を実行し、
前記撮影指示を受け付けた後、ユーザから、撮影された画像の画像データを前記画像管理サーバに送信するための明示的な指示を受け付けることなく、前記画像データの前記画像管理サーバへの送信処理を実行する処理実行部と、
を備え、
前記送信処理は、
ユーザから、前記撮影された画像の属性情報の入力を受け付けるステップと、
前記画像データと前記属性情報とを対応付けて、前記画像管理サーバに送信するステップと、
を有し、
前記属性情報は、前記撮影された画像の閲覧を許可される閲覧者に関する情報、又は、前記撮影された画像の閲覧を禁止される閲覧者に関する情報を含み、
前記画像管理サーバは、前記処理実行部から前記撮影された画像の画像データ及び前記属性情報を受信すると、前記属性情報に含まれる前記閲覧者に関する情報に基づいて、１以上の閲覧用データの中から、前記撮影された画像を追加すべき閲覧用データを選択し、前記撮影された画像が予め定められた規則に従って配置された閲覧用データを生成するように構成されている、
情報処理装置。
【請求項１８】
撮影指示を受け付ける指示受付部と、
前記撮影指示に基づいて、撮影処理を実行し、
前記撮影指示を受け付けた後、ユーザから、撮影された画像の画像データを画像管理サーバに送信するための明示的な指示を受け付けることなく、通信ネットワークを介して、前記画像管理サーバとの間で認証処理を実行し、撮影された画像の画像データの前記画像管理サーバへの送信処理を実行する処理実行部と、
を備え、
前記送信処理は、
ユーザから、前記撮影された画像の属性情報の入力を受け付けるステップと、
前記画像データと前記属性情報とを対応付けて、前記画像管理サーバに送信するステップと、
を有し、
前記属性情報は、前記撮影された画像の閲覧を許可される閲覧者に関する情報、又は、前記撮影された画像の閲覧を禁止される閲覧者に関する情報を含み、
前記画像管理サーバは、前記処理実行部から前記撮影された画像の画像データ及び前記属性情報を受信すると、前記属性情報に含まれる前記閲覧者に関する情報に基づいて、１以上の閲覧用データの中から、前記撮影された画像を追加すべき閲覧用データを選択し、前記撮影された画像が予め定められた規則に従って配置された閲覧用データを生成するように構成されている、
情報処理装置。
【請求項１９】
前記処理実行部は、
前記画像管理サーバとの間の通信速度が予め定められた値よりも大きいか否かを判断し、
前記通信速度が予め定められた値よりも大きいと判断されなかった場合に、前記撮影された画像の解像度及び大きさを予め定められた値に調整して、前記画像データのデータ容量を小さくする、
請求項１７又は請求項１８に記載の情報処理装置。
【請求項２０】
前記画像データと前記属性情報とを対応付けて、前記画像管理サーバに送信するステップは、前記データ容量の小さな画像データと前記属性情報とを対応付けて、前記画像管理サーバに送信するステップを有し、
前記処理実行部は、
前記データ容量の小さな画像データを前記画像管理サーバに送信した後、解像度及び大きさが前記予め定められた値に調整されていない画像データを、前記画像管理サーバに送信する、
請求項１９に記載の情報処理装置。
【請求項２１】
前記処理実行部は、
前記撮影された画像の画像データを、有線回線及び近距離無線回線の少なくとも一方を介して、前記画像管理サーバとは別の記憶装置に保存する保存処理を実行し、
前記保存されている画像データの容量又は前記記憶装置の記憶容量が予め定められた条件を満たす場合に、前記保存されている画像データにより示される画像の属性情報に基づいて、前記記憶装置に保存されている画像データの少なくとも一部を消去し、
前記保存されている画像データにより示される画像の属性情報は、当該画像の解像度又は画像サイズに関する情報、当該画像に含まれる被写体に関する情報、及び、当該画像の閲覧者関する情報から選択される少なくとも１つである、
請求項１７から請求項２０までの何れか一項に記載の情報処理装置。
【請求項２２】
前記画像管理サーバは、前記撮影された画像が予め定められた規則に従って配置された１以上の閲覧用データを生成する、
請求項１７から請求項２１までの何れか一項に記載の情報処理装置。
【請求項２３】
通信ネットワークを介して、１以上のクライアント端末と情報を送受する情報処理装置であって、
前記１以上のクライアント端末の少なくとも１つを認証する認証部と、
前記認証部により認証されたクライアント端末から画像データを受信し、コンテンツ格納部に格納するコンテンツ管理部と、
前記コンテンツ格納部に格納された画像データが予め定められた規則に従って配置された、１以上の閲覧用データを生成する閲覧用データ生成部と、
前記１以上のクライアント端末の各ユーザの交友関係に関する情報を含むユーザ属性情報を生成するユーザ属性生成部と、
を備え、
前記コンテンツ管理部は、
前記１以上の閲覧用データのうち、予め定められた期間にわたって更新されていない閲覧用データを抽出し、
抽出された閲覧用データの生成に用いられる画像データを前記コンテンツ格納部から消去する、又は、前記抽出された閲覧用データの生成に用いられる画像データの属性情報を、予め定められた属性を示す情報に変更し、
前記ユーザ属性生成部は、
前記１以上の画像データを解析して、各画像データにより示される画像に含まれる１以上の被写体のそれぞれを識別する１以上の被写体識別情報を取得し、
前記１以上の被写体識別情報により識別される被写体のそれぞれについて、同一の画像に含まれる他の被写体の出現頻度、及び、各被写体を含む画像の画像データを管理するユーザの出現頻度を算出し、
前記出現頻度が予め定められた値よりも大きな他の被写体又はユーザは、当該被写体と交友関係があると決定し、
各ユーザの管理する画像に含まれる各被写体の交友関係の有無に関する情報を、各ユーザの交友関係に関する情報として生成する、
情報処理装置。
【請求項２４】
前記コンテンツ管理部は、１以上の前記画像データのそれぞれを識別するコンテンツ識別情報と、前記コンテンツ識別情報により識別される画像データの閲覧を許可される閲覧者又は前記閲覧を許可されない閲覧者を識別する閲覧者識別情報とを対応付けて、閲覧者情報格納部に格納し、
前記閲覧用データ生成部は、前記閲覧者識別情報に基づいて、前記１以上の閲覧用データを生成する、
請求項２３に記載の情報処理装置。
【請求項２５】
前記ユーザ属性情報に基づいて広告情報を配信する広告配信部をさらに備える、
請求項２３又は２４に記載の情報処理装置。
【請求項２６】
コンピュータを、請求項１７から請求項２５までの何れか一項に記載の情報処理装置として機能させるためのプログラム。
【発明の詳細な説明】
【技術分野】
【０００１】
本発明は、コンピュータの処理方法、プログラム及び情報処理装置に関する。
【背景技術】
【０００２】
カメラにより撮影した画像をWeb上に公開して、友人などと共有するサービスが知られている（例えば、特許文献１参照）。
（先行技術文献）
（特許文献１）  特表２０１３−５１２５０８号公報
【発明の概要】
【発明が解決しようとする課題】
【０００３】
しかし、上記のサービスを利用して画像を公開するには、画像を撮影した後、撮影された画像をサーバにアップロードし、さらに、Webページを編集する必要があった。
【課題を解決するための手段】
【０００４】
本発明の第１の態様においては、コンピュータが、通信ネットワークを介してコンピュータと情報を送受する画像管理サーバとの間の認証処理が完了した後、撮影指示を受け付ける段階と、コンピュータが、撮影指示に基づいて、撮影処理を実行し、撮影された画像の画像管理サーバへの送信処理を実行する段階とを有する方法が提供される。
【０００５】
本発明の第２の態様においては、コンピュータが、撮影指示を受け付ける段階と、
コンピュータが、撮影指示に基づいて、撮影処理を実行し、通信ネットワークを介して、画像管理サーバとの間で認証処理を実行し、撮影された画像の画像管理サーバへの送信処理を実行する段階とを有する方法が提供される。
【０００６】
本発明の第３の態様においては、コンピュータが、通信ネットワークを介して、コンテンツ管理サーバとの間で認証処理を実行する段階と、コンピュータが、通信ネットワークを介してコンピュータと情報を送受するコンテンツ管理サーバとの間の認証処理が完了した後、コンテンツ取得指示を受け付ける段階と、コンピュータが、コンテンツ取得指示に基づいて、コンテンツ取得処理を実行し、取得されたコンテンツのコンテンツ管理サーバへの送信処理を実行する段階とを有し、コンテンツは、画像データ、音声データ、嗅覚データ、味覚データ及び触覚データからなる群から選択される少なくとも１つである方法が提供される。
【０００７】
本発明の第４の態様においては、コンピュータが、コンテンツ指示を受け付ける段階と、コンピュータが、コンテンツ取得指示に基づいて、コンテンツ取得処理を実行し、通信ネットワークを介して、コンテンツ管理サーバとの間で認証処理を実行し、取得されたコンテンツのコンテンツ管理サーバへの送信処理を実行する段階とを有し、コンテンツは、画像データ、音声データ、嗅覚データ、味覚データ及び触覚データからなる群から選択される少なくとも１つである方法が提供される。
【０００８】
本発明の第５の態様においては、コンピュータに、上記の方法を実行させるためのプログラムが提供される。
【０００９】
本発明の第６の態様においては、通信ネットワークを介してコンピュータと情報を送受する画像管理サーバとの間の認証処理が完了した後、撮影指示を受け付ける指示受付部と、撮影指示に基づいて、撮影処理を実行し、撮影された画像の画像管理サーバへの送信処理を実行する処理実行部とを備える情報処理装置が提供される。
【００１０】
本発明の第７の態様においては、撮影指示を受け付ける指示受付部と、撮影指示に基づいて、撮影処理を実行し、通信ネットワークを介して、画像管理サーバとの間で認証処理を実行し、撮影された画像の画像管理サーバへの送信処理を実行する処理実行部とを備える情報処理装置が提供される。
【００１１】
本発明の第８の態様においては、通信ネットワークを介して、１以上のクライアント端末と情報を送受する情報処理装置であって、１以上のクライアント端末の少なくとも１つを認証する認証部と、認証部により認証されたクライアント端末からコンテンツを受信し、コンテンツ格納部に格納するコンテンツ管理部と、コンテンツ格納部に格納されたコンテンツが予め定められた規則に従って配置された、１以上の閲覧用データを生成する閲覧用データ生成部とを備え、コンテンツ管理部は、１以上の閲覧用データのうち、予め定められた期間にわたって更新されていない閲覧用データを抽出し、抽出された閲覧用データの生成に用いられるコンテンツをコンテンツ格納部から消去する、又は、抽出された閲覧用データの生成に用いられるコンテンツの属性情報を変更する情報処理装置が提供される。
【００１２】
本発明の第９の態様においては、コンピュータを、上記の情報処理装置として機能させるためのプログラムが提供される。
【００１３】
なお、上記の発明の概要は、本発明の特徴の全てを列挙したものではない。また、これらの特徴群のサブコンビネーションもまた、発明となりうる。
【図面の簡単な説明】
【００１４】
【図１】画像管理システム１００の一例を概略的に示す。
【図２】撮影デバイス１１２の一例を概略的に示す。
【図３】撮影制御部２１４の一例を概略的に示す。
【図４】通信デバイス１１４の一例を概略的に示す。
【図５】端末制御部４０６の一例を概略的に示す。
【図６】出力部２０４に表示される操作画面６００の一例を概略的に示す。
【図７】出力部２０４に表示される設定画面７００の一例を概略的に示す。
【図８】クライアント端末１０２における処理の一例を概略的に示す。
【図９】クライアント端末１０２における処理の他の例を概略的に示す。
【図１０】クライアント端末１０２における送信処理の一例を概略的に示す。
【図１１】画像管理サーバ１２０の一例を概略的に示す。
【図１２】Ｗｅｂページ生成部１１０６により生成された画面の一例を示す。
【図１３】画像管理情報を格納するテーブル１３００の一例を概略的に示す。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、通信ネットワーク１０とともに、画像管理システム１００の一例を概略的に示す。本実施形態において、画像管理システム１００は、クライアント端末１０２と、クライアント端末１０４と、画像管理サーバ１２０とを備える。クライアント端末１０２は、撮影デバイス１１２と、通信デバイス１１４とを有する。
【００１７】
クライアント端末１０２及びクライアント端末１０４のユーザは、通信ネットワーク１０を介して画像管理サーバ１２０にアクセスすることにより、画像管理サーバ１２０により提供されるサービスを利用する。本実施形態において、画像管理サーバ１２０は、ユーザから受け取った画像を管理するサービスを提供する。また、画像管理サーバ１２０は、ユーザに対して、１以上のＷｅｂページをＷｅｂ上に公開するサービスを提供する。画像管理サーバ１２０は、それぞれのＷｅｂページを閲覧できるユーザを制限してもよい。
【００１８】
まず、撮影デバイス１１２が、カメラ機能を有するメガネ型のウェアラブル端末であり、通信デバイス１１４が、スマートフォン、タブレット端末などの携帯端末である場合を例として、画像管理システム１００により提供されるサービスの概要について説明する。なお、撮影デバイス１１２及び通信デバイス１１４は、例えば、ＮＦＣ、Ｂｌｕｅｔｏｏｔｈ（登録商標）、ＷｉＦｉ（登録商標）、ＷｉＭＡＸ（登録商標）などの近距離無線通信により、情報を送受する。
【００１９】
撮影デバイス１１２は、例えば、音声認識技術を利用して、ユーザからの撮影指示を受け付ける。撮影デバイス１１２は、ユーザからの撮影指示を受け付けると、画像を撮影し、撮影された画像（画像データと称する場合がある。）を、通信デバイス１１４を介して画像管理サーバ１２０に送信する。画像は、静止画像であってもよく、動画像であってもよい。
【００２０】
通信デバイス１１４は、例えば、通信デバイス１１４上で、撮影デバイス１１２のカメラ機能を利用するためのプログラムが実行された場合に、画像管理サーバ１２０との間で認証処理を実行する。これにより、クライアント端末１０２のユーザは、画像管理サーバ１２０が提供するサービスを利用できるようになる。認証処理が完了した後、通信デバイス１１４が撮影デバイス１１２から画像データを受信すると、通信デバイス１１４は、受信した画像データを、通信ネットワーク１０を介して画像管理サーバ１２０に送信する。
【００２１】
通信ネットワーク１０は、無線通信の伝送路であってもよく、無線通信の伝送路及び有線通信の伝送路の組み合わせであってもよい。通信ネットワーク１０は、携帯電話回線網などの移動体通信網、無線パケット通信網、インターネット及び専用回線であってもよく、それらの組み合わせであってもよい。
【００２２】
これにより、クライアント端末１０２のユーザは、撮影デバイス１１２に対して撮影指示を入力するだけで、画像を撮影し、撮影した画像を画像管理サーバ１２０に送信することができる。本実施形態によれば、ユーザは、撮影した画像を画像管理サーバ１２０に送信するための明示的な指示を省略することができる。また、クライアント端末１０２と、画像管理サーバ１２０と間の同期処理の設定を省略することができる。その結果、クライアント端末１０２のユーザは、撮影した画像を、気軽に画像管理サーバ１２０に転送することができる。
【００２３】
画像管理サーバ１２０は、クライアント端末１０２から画像データを受信すると、クライアント端末１０２のユーザ又はクライアント端末１０４のユーザが画像を閲覧するためのデータ（閲覧用データと称する場合がある。）を生成又は更新する。例えば、画像管理サーバ１２０は、クライアント端末１０２から受信した画像の大きさ及び解像度を調整して、調整した画像を、クライアント端末１０２のユーザのブログ（Ｗｅｂｌｏｇと称される場合がある。）のＷｅｂページに追加する。これにより、ユーザのブログを自動的に更新することができる。
【００２４】
このように、本実施形態によれば、クライアント端末１０２のユーザは、撮影デバイス１１２に対して撮影指示を入力するだけで、自己のブログを更新することができる。ユーザはブログの更新作業を考慮しなくてもよいので、ブログの更新作業が必要な場合と比較して、画像を撮影することに対する心理的な負担が大きく軽減される。
【００２５】
次に、画像管理システム１００の各部の構成について説明する。画像管理システム１００の各部は、ハードウエアにより実現されてもよく、ソフトウエアにより実現されてもよく、ハードウエアとソフトウエアとの組み合わせにより実現されてもよい。例えば、プログラムが実行されることにより、コンピュータが、画像管理システム１００の各部として機能してもよい。
【００２６】
上記のソフトウエア又はプログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。ソフトウエア又はプログラムは、コンピュータ読み取り可能な媒体又はネットワークに接続された記憶装置から、画像管理システム１００の各部のコンピュータにインストールされてよい。
【００２７】
コンピュータを、画像管理システム１００の各部として機能させるプログラムは、画像管理システム１００の各部の動作を規定したモジュールを備えてよい。これらのプログラム又はモジュールは、プロセッサ、通信インターフェース等に働きかけて、コンピュータを画像管理システム１００の各部として機能させたり、コンピュータに画像管理システム１００の各部における情報処理方法を実行させたりする。
【００２８】
これらのプログラムに記述された情報処理は、コンピュータに読込まれることにより、ソフトウエアと、画像管理システム１００の各部の各種のハードウエア資源とが協働した具体的手段として機能する。そして、これらの具体的手段によって、本実施形態におけるコンピュータの使用目的に応じた情報の演算又は加工を実現することにより、使用目的に応じた画像管理システム１００を構築することができる。
【００２９】
クライアント端末１０２、クライアント端末１０４及び画像管理サーバ１２０のそれぞれは、一般的な構成の情報処理装置において、クライアント端末１０２、クライアント端末１０４及び画像管理サーバ１２０のそれぞれの各部の動作を規定したソフトウエア又はプログラムを起動することにより実現されてよい。クライアント端末１０２、クライアント端末１０４又は画像管理サーバ１２０として用いられる情報処理装置は、ＣＰＵ等のプロセッサ、ＲＯＭ、ＲＡＭ、通信インターフェースなどを有するデータ処理装置と、キーボード、タッチパネル、マイクなどの入力装置と、表示装置、スピーカなどの出力装置と、メモリ、ＨＤＤなどの記憶装置とを備えてよい。上記のデータ処理装置又は記憶装置は、上記のソフトウエア又はプログラムを記憶してよい。
【００３０】
クライアント端末１０２及びクライアント端末１０４は、画像管理サーバ１２０と情報を送受することができる装置であればよく、Ｗｅｂブラウザソフトが導入されたパーソナルコンピュータ、携帯端末などであってよい。携帯端末としては、携帯電話若しくはスマートフォン、ノートブック・コンピュータ若しくはラップトップ・コンピュータ、ＰＤＡ、タブレット端末、ウェアラブル・コンピュータなどを例示することができる。ウェアラブル・コンピュータとしては、メガネ型、腕輪型、指輪型などのウェアラブル・コンピュータを例示することができる。
【００３１】
クライアント端末１０２及びクライアント端末１０４は、複数の通信方式に対応してもよい。例えば、クライアント端末１０２及びクライアント端末１０４は、３Ｇ方式、ＬＴＥ方式、４Ｇ方式などの移動体通信方式と、ＮＦＣ、Ｂｌｕｅｔｏｏｔｈ（登録商標）、ＷｉＦｉ（登録商標）、ＷｉＭＡＸ（登録商標）などの近距離無線通信方式との両方の通信方式に対応する。
【００３２】
画像管理サーバ１２０は、クライアント端末１０２及びクライアント端末１０４と情報を送受することができる装置であれば、特に限定はされない。画像管理サーバ１２０は、仮想サーバ又はクラウドシステムであってもよい。また、画像管理サーバ１２０の各部の機能が、複数のサーバによって実現されてもよい。
【００３３】
画像管理システム１００及びクライアント端末１０２のそれぞれは、情報処理装置の一例であってよい。画像管理システム１００及び画像管理サーバ１２０のそれぞれは、情報処理装置の一例であってよい。クライアント端末１０２及びクライアント端末１０４のそれぞれは、１以上のクライアント端末の一例であってよい。
【００３４】
画像データは、コンテンツの一例であってよい。コンテンツの他の例としては、音声データ、匂い若しくは嗅覚データ、感触若しくは触覚データ、味若しくは味覚データなどを例示することができる。嗅覚データ及び味覚データは、化合物の種類及び含有量に関する計測値であってよい。触覚データは、１以上の圧力センサの計測値であってよい。
【００３５】
撮影デバイス１１２は、コンテンツを取得するコンテンツ取得部の一例であってよい。画像管理サーバ１２０は、コンテンツ管理サーバの一例であってよい。撮影指示は、コンテンツ取得指示の一例であってよい。撮影処理は、コンテンツ取得処理の一例であってよい。
【００３６】
図２は、撮影デバイス１１２の一例を概略的に示す。本実施形態において、撮影デバイス１１２は、入力部２０２と、出力部２０４と、近距離通信部２０６と、撮影部２０８とを備える。撮影部２０８は、撮影制御部２１４と、撮像部２１２とを有する。入力部２０２は、指示受付部の一例であってよい。撮影制御部２１４は、処理実行部の一例であってよい。
【００３７】
入力部２０２は、ユーザからの指示（ユーザ指示と称する場合がある。）を受け付ける。入力部２０２は、キーボード、マウス、タッチパネル、カメラ又はマイクであってよい。入力部２０２は、文字認識技術を利用して、画像データからユーザ指示を読み取ってよい。入力部２０２は、視線認識技術又はジェスチャー認識技術を利用して、ユーザ指示を読み取ってよい。入力部２０２は、音声認識技術を利用して、音声データからユーザ指示を読み取ってもよい。ユーザ指示としては、撮影デバイス１１２に撮影を開始させるための撮影指示、撮影デバイス１１２又は通信デバイス１１４上で動作するプログラムの設定を調整する設定指示などを例示することができる。
【００３８】
出力部２０４は、ユーザに情報を提示する。出力部２０４は、液晶ディスプレイ、有機ＥＬディスプレイ、プロジェクターなどの表示装置、スピーカなどの音声出力装置又はバイブレータなどの振動装置であってよい。
【００３９】
近距離通信部２０６は、近距離無線通信により、通信デバイス１１４との間で情報を送受する。近距離通信部２０６は、通信インターフェースであってもよい。近距離通信部２０６は、複数の通信方式に対応していてもよい。
【００４０】
撮影部２０８は、撮像部２１２により画像を撮影する。撮像部２１２は、例えば、ＣＣＤセンサ、ＣＭＯＳセンサなどの撮像素子と、撮像素子上に画像を結像させるための１以上のレンズと、１以上のレンズを駆動するためのモータとを備える。
【００４１】
撮影制御部２１４は、撮像部２１２を制御する。撮影制御部２１４は、入力部２０２などから撮影指示を受け取る。一実施形態において、撮影制御部２１４は、撮影指示に基づいて、画像を撮影するステップと、撮影された画像を通信デバイス１１４に送信するステップとを実行させるための命令を、撮像部２１２に送信する。
【００４２】
他の実施形態において、撮影制御部２１４は、撮影指示に基づいて、画像を撮影するステップと、撮影された画像を撮影制御部２１４に送信するステップとを実行させるための命令を、撮像部２１２に送信する。撮影制御部２１４は、撮像部２１２から画像データを受信すると、受信した画像データを通信デバイス１１４に送信する。撮影された画像を通信デバイス１１４に送信する処理は、撮影された画像の画像管理サーバ１２０への送信処理の一例であってよい。
【００４３】
図３は、撮影制御部２１４の一例を概略的に示す。本実施形態において、撮影制御部２１４は、撮影指示生成部３０２と、撮影指示受付部３０４と、撮影処理部３０６とを備える。撮影指示受付部３０４は、指示受付部の一例であってよい。撮影処理部３０６は、処理実行部の一例であってよい。
【００４４】
撮影指示生成部３０２は、被写体の状態が予め定められた条件に一致した場合に、撮影指示を生成する。予め定められた条件としては、被写体が動いたと判断された場合、被写体が予め定められた動作を実行したと判断された場合（例えば、被写体が笑った場合）、被写体が予め定められた人又は物であると判断された場合などを例示することができる。撮影指示生成部３０２により撮影指示を生成するか否かは、ユーザの指示により決定されてよい。撮影指示生成部３０２により生成された撮影指示は、ユーザ指示の一例であってよい。
【００４５】
撮影指示受付部３０４は、入力部２０２及び撮影指示生成部３０２の少なくとも一方から、撮影指示を受信する。一実施形態において、撮影指示受付部３０４は、通信デバイス１１４と画像管理サーバ１２０との間の認証処理が完了した後、撮影指示を受け付ける。例えば、通信デバイス１１４上で、撮影デバイス１１２のカメラ機能を利用するためのプログラムが実行された場合に、通信デバイス１１４と画像管理サーバ１２０との間で認証処理が実行される。撮影指示受付部３０４は、通信デバイス１１４から、画像管理サーバ１２０との間で認証処理が完了した旨の通知を受信した後、撮影指示を受け付ける。これにより、画像データを確実に画像管理サーバ１２０に送信することができる。
【００４６】
他の実施形態において、撮影指示受付部３０４は、認証処理が完了する前に、撮影指示を受け付ける。これにより、撮影デバイス１１２のカメラ機能を利用するためのプログラムが起動されてから、実際に撮影できるようになるまでの時間を短縮することができる。この場合において、認証処理は、撮影デバイス１１２がユーザからの撮影指示を受け付けた場合に実行されてもよく、通信デバイス１１４が撮影デバイス１１２から画像データを受信した場合に実行されてもよい。撮影指示受付部３０４は、通信デバイス１１４から、画像管理サーバ１２０との間で認証処理を開始した旨の通知を受信した後、撮影指示を受け付けてもよい。
【００４７】
撮影処理部３０６は、撮影指示受付部３０４から、撮影指示を受け付けた旨の通知を受信する。撮影処理部３０６は、撮影指示に基づいて、撮影処理を実行する。一実施形態において、撮影処理部３０６は、撮像部２１２に対して、画像を撮影するステップと、撮影された画像を通信デバイス１１４に送信するステップとを実行させるための命令を送信する。他の実施形態において、撮影処理部３０６は、撮像部２１２に対して、画像を撮影するステップと、撮影された画像を撮影処理部３０６に送信するステップを実行させるための命令を送信する。撮影処理部３０６は、撮像部２１２から画像データを受信すると、受信した画像データを通信デバイス１１４に送信する。
【００４８】
図４は、通信デバイス１１４の一例を概略的に示す。本実施形態において、通信デバイス１１４は、近距離通信部４０２と、移動体通信部４０４と、端末制御部４０６と、記憶部４０８とを備える。端末制御部４０６は、処理実行部の一例であってよい。
【００４９】
近距離通信部４０２は、近距離無線通信により、撮影デバイス１１２との間で情報を送受する。近距離通信部４０２は、通信インターフェースであってもよい。近距離通信部４０２は、複数の通信方式に対応していてもよい。
【００５０】
移動体通信部４０４は、移動体通信により、画像管理サーバ１２０との間で情報を送受する。移動体通信部４０４は、通信インターフェースであってもよい。移動体通信部４０４は、複数の通信方式に対応していてもよい。
【００５１】
端末制御部４０６は、クライアント端末１０２の動作を制御する。端末制御部４０６は、撮影デバイス１１２及び通信デバイス１１４の少なくとも一方を制御して、認証処理、撮影処理及び送信処理を実行させる。本実施形態において、端末制御部４０６は、通信デバイス１１４の各部を制御して、認証処理及び送信処理を実行させる。
【００５２】
記憶部４０８は、メモリ、ハードディスクなどの記憶装置により構成される。記憶部４０８は、例えば、撮影デバイス１１２から受信した画像データを記憶する。記憶部４０８は、１以上の画像データのそれぞれを識別する画像識別情報と、当該画像の画像属性情報とを対応付けて記憶してよい。記憶部４０８は、撮影デバイス１１２又は通信デバイス１１４上で動作するプログラムを記憶してよい。記憶部４０８は、上記のプログラムの設定を記憶してもよい。
【００５３】
記憶部４０８は、クライアント端末１０２と画像管理サーバ１２０との間の認証処理に用いられる認証情報を記憶してもよい。認証情報は、クライアント端末１０２のユーザを識別するためのユーザ識別情報と、当該ユーザを認証するためのパスフレーズとが対応付けられた情報であってよい。この場合において、記憶部４０８は、クッキー（ｃｏｏｋｉｅ）であってよい。
【００５４】
認証情報は、人間などの動物の身体的特徴（生体器官）や行動的特徴（癖）の情報を用いて行う個人認証技術（生体認証と称される場合がある。）に用いられる情報（テンプレートと称される場合がある。）であってよい。テンプレートは、ユーザの指紋、虹彩、血管、顔、声紋、筆跡などのパターン又は特徴に関する情報であってよい。これにより、ユーザの認証処理に伴うユーザの負担を軽減することができる。
【００５５】
記憶部４０８は、１以上のユーザの少なくとも一部について、複数の種類の認証情報を記憶してよい。これにより、擬陰性（第二種過誤と称される場合がある。）が０より大きい場合であっても、セキュリティーを確保することができる。例えば、記憶部４０８は、特定のユーザの識別情報として、上記のテンプレートと、上記のユーザ識別情報及びパスフレーズの組み合わせとを対応付けて記憶する。記憶部４０８は、上記のテンプレートと、パスフレーズとを対応づけて記憶してもよい。
【００５６】
図５は、端末制御部４０６の一例を概略的に示す。本実施形態において、端末制御部４０６は、認証処理部５０２と、属性取得部５０４と、画像送信部５０６と、画像管理部５０８とを備える。端末制御部４０６の各部は、処理実行部の一例であってよい。
【００５７】
認証処理部５０２は、通信ネットワーク１０を介して、画像管理サーバ１２０との間で認証処理を実行する。例えば、認証処理部５０２は、記憶部４０８を参照して、クライアント端末１０２と画像管理サーバ１２０との間の認証処理に用いられる認証情報を読み出す。認証処理部５０２は、移動体通信部４０４を介して、読み出された認証情報を画像管理サーバ１２０に送信する。
【００５８】
一実施形態において、認証処理部５０２は、通信デバイス１１４上で、撮影デバイス１１２のカメラ機能を利用するためのプログラムが実行された場合に、認証処理を実行する。他の実施形態において、認証処理部５０２は、撮影デバイス１１２がユーザからの撮影指示を受け付けた場合に、認証処理を実行してよい。認証処理部５０２は、通信デバイス１１４が撮影デバイス１１２から画像データを受信した場合に、認証処理を実行してもよい。
【００５９】
認証処理部５０２は、画像管理サーバ１２０との間で認証処理を開始した場合に、近距離通信部４０２を介して、その旨を撮影デバイス１１２に通知してよい。認証処理部５０２は、画像管理サーバ１２０との間で認証処理が完了した場合に、近距離通信部４０２を介して、その旨を撮影デバイス１１２に通知してよい。
【００６０】
属性取得部５０４は、撮影された画像の属性を示す画像属性情報を取得する。画像属性情報としては、当該画像が撮影された日時に関する情報、当該画像が撮影された場所又は位置に関する情報、画像管理サーバ１２０に送信された画像データの解像度又は画像サイズに関する情報、当該画像の撮影者に関する情報、当該画像の閲覧者に関する情報、当該画像の内容に関する情報などを例示することができる。
【００６１】
画像の閲覧者に関する情報は、当該画像の閲覧を許可されるユーザに関する情報、又は当該画像の閲覧を禁止されるユーザに関する情報であってよい。それぞれのユーザに関する情報は、当該ユーザを識別する情報であってもよく、当該ユーザのグループを識別する情報であってもよい。
【００６２】
例えば、特定の画像のグループとして、「プライベート」という属性が付与されている場合、当該画像を画像管理サーバ１２０に送信したユーザ以外のユーザは、当該画像の閲覧を禁止される。一方、特定の画像のグループとして、「パブリック」という属性が付与されている場合、全てのユーザに対して、当該画像の閲覧が許可される。同様にして、特定の画像のグループとして、「友人１」という属性が付与されている場合、「友人１」というグループに属しているユーザに対して、当該画像の閲覧が許可される。一方、その他のユーザに対しては、当該画像の閲覧が禁止される。
【００６３】
画像の内容に関する情報としては、当該画像が撮影された状況に関する情報、当該画像の被写体に関する情報などを例示することができる。画像が撮影された状況に関する情報は、当該画像が、仕事に関する画像であるのか、プライベートに関する画像であるのか、趣味に関する画像であるのか、食事に関する画像であるのかなどを示す情報であってよい。画像の被写体に関する情報は、顔認識技術により取得された、被写体の身体の特徴を示す情報であってよい。
【００６４】
一実施形態において、属性取得部５０４は、撮像された画像を解析して、画像属性情報を取得する。他の実施形態において、属性取得部５０４は、画像管理サーバ１２０から、画像属性情報を取得する。さらに他の実施形態において、属性取得部５０４は、下記の手順により、画像属性情報を取得する。まず、属性取得部５０４が、ユーザに画像の属性を入力又は選択させるための情報を出力部２０４に出力する。上記の情報は、出力部２０４に表示される画面のデータであってもよく、出力部２０４から出力される音声のデータであってもよい。次に、ユーザが、画像の属性を入力部２０２に入力する。これにより、属性取得部５０４は、入力部２０２から、ユーザにより入力された画面の属性を取得することができる。
【００６５】
属性取得部５０４は、ユーザに画像の属性を入力又は選択させるための情報を出力部２０４に出力する前に、画像の閲覧者に関する情報の要否を判断してよい。例えば、属性取得部５０４は、撮影デバイス１１２のカメラ機能を利用するためのプログラムの設定情報を参照して、画像の閲覧者に関する情報の要否を判断する。
【００６６】
例えば、プログラムの設定情報に、画像の閲覧者に関する情報の要否に関する情報が含まれている場合、属性取得部５０４は、当該設定に従って、ユーザから、画像の閲覧者に関する情報を取得するか否かを決定する。閲覧者に関する情報を取得する必要があると決定された場合、属性取得部５０４は、ユーザから、画像の閲覧者に関する情報を取得する。また、プログラムの設定情報に含まれる画像の閲覧者に関する情報が１つである場合、属性取得部５０４は、ユーザから、画像の閲覧者に関する情報を取得しないことを決定してよい。
【００６７】
一実施形態において、属性取得部５０４は、画像データに、当該画像の画像属性情報を付与してよい。他の実施形態において、属性取得部５０４は、画像データを識別する画像識別情報と、当該画像の画像属性情報とを対応付けて、記憶部４０８に格納してよい。
【００６８】
画像送信部５０６は、撮影指示に応じて、画像データの画像管理サーバ１２０への送信処理の少なくとも一部を実行する。例えば、画像送信部５０６は、撮影デバイス１１２から画像データを受信したことに応じて、画像データを画像管理サーバ１２０に送信する。
【００６９】
画像送信部５０６は、移動体通信部４０４を介して、画像データを画像管理サーバ１２０に送信する。画像送信部５０６は、撮影部２０８から受信した画像データを画像管理サーバ１２０に転送してもよく、一旦、記憶部４０８に格納された画像データを画像管理サーバ１２０に送信してもよい。
【００７０】
画像送信部５０６は、画像データの解像度及び大きさを予め定められた値に調整した後、調整後の画像データを画像管理サーバ１２０に送信してよい。画像送信部５０６は、調整後の画像データを送信した後、調整前の画像データを画像管理サーバ１２０に送信してよい。画像送信部５０６は、例えば、撮影デバイス１１２若しくは通信デバイス１１４の処理能力の余力が予め定められた値よりも大きな場合、又は、通信速度が予め定められた値よりも大きな場合に、調整前の画像データを画像管理サーバ１２０に送信する。画像送信部５０６は、画像識別情報と、送信した画像データの解像度及び大きさとを対応付けて、記憶部４０８に格納してよい。
【００７１】
画像送信部５０６は、認証処理部５０２から、認証処理が完了した旨の通知を受信した後、画像データを画像管理サーバ１２０に送信してよい。画像送信部５０６は、画像属性情報の付与された画像を画像管理サーバ１２０に送信してもよい。画像送信部５０６は、画像データと、当該画像データの画像識別情報と、当該画像データの画像属性情報とを対応付けて、画像管理サーバ１２０に送信してもよい。
【００７２】
画像送信部５０６は、画像データを画像管理サーバ１２０に送信する前に、通信状況を判断してよい。例えば、画像送信部５０６は、クライアント端末１０２が移動体通信の通信圏外に存在していると判断した場合に、通信状況が不良であると判断する。一方、画像送信部５０６は、クライアント端末１０２が移動体通信の通信圏内に存在していると判断した場合に、通信状況が良好であると判断する。
【００７３】
画像送信部５０６は、通信状況が良好であると判断された場合に、画像データを画像管理サーバ１２０に送信してよい。画像送信部５０６は、通信状況が不良であると判断された場合に、送信処理を中断してよい。画像送信部５０６は、送信処理を中断した場合において、予め定められた時間が経過した後、再度、通信状況を判断してよい。
【００７４】
画像送信部５０６は、クライアント端末１０２と画像管理サーバ１２０との間の通信速度が予め定められた値よりも大きいか否かを判断してよい。画像送信部５０６は、クライアント端末１０２と画像管理サーバ１２０との間の通信速度が予め定められた値よりも大きいと判断された場合に、画像データを画像管理サーバ１２０に送信してよい。画像送信部５０６は、クライアント端末１０２と画像管理サーバ１２０との間の通信速度が予め定められた値よりも大きいと判断されなかった場合に、予め定められた処理を実行してよい。予め定められた処理としては、送信処理の中断、画像サイズのリサイズなどを例示することができる。
【００７５】
画像管理部５０８は、記憶部４０８に保存された画像を管理する。画像管理部５０８は、撮影部２０８により撮影された画像を、有線回線及び近距離無線回線の少なくとも一方を介して、記憶部４０８に保存する。画像管理部５０８は、画像送信部５０６から画像データを受信してもよく、撮影部２０８から画像データを受信してもよい。
【００７６】
画像管理部５０８は、記憶部４０８に保存されている画像の容量又は記憶部４０８の記憶容量が予め定められた条件を満たす場合に、記憶部４０８に保存されている画像の少なくとも一部を消去してよい。予め定められた条件としては、記憶部４０８に保存されている１以上の画像の容量が、予め定められた値よりも大きい場合、記憶部４０８の記憶容量が、予め定められた値よりも大きい場合、記憶部４０８の記憶容量の残り容量が、予め定められた値よりも小さい場合などを例示することができる。
【００７７】
画像管理部５０８は、保存された画像の属性情報に基づいて、消去する画像を決定してよい。一実施形態において、画像管理部５０８は、画像管理サーバ１２０に送信された画像データの解像度又は画像サイズに基づいて、消去する画像を決定する。例えば、画像管理部５０８は、画像管理サーバ１２０に送信された画像データの解像度又は画像サイズが、予め定められた値よりも大きい画像を消去する。
【００７８】
他の実施形態において、画像管理部５０８は、画像に含まれる被写体の情報に基づいて、消去する画像を決定する。例えば、画像管理部５０８は、特定の被写体が含まれると判断した画像を消去する。画像管理部５０８は、特定の被写体が含まれないと判断した画像を消去してもよい。
【００７９】
さらに他の実施形態において、画像管理部５０８は、画像の閲覧者に関する情報に基づいて、消去する画像を決定する。例えば、画像管理部５０８は、閲覧を許可されるユーザのグルーブを識別する情報に基づいて、消去する画像を決定する。
【００８０】
図６は、出力部２０４に表示される操作画面６００の一例を概略的に示す。操作画面６００は、画像管理サーバ１２０の認証処理が完了した後、ユーザに提示される画面の一例を示す。本実施形態において、操作画面６００は、プレビュー画像６０２と、グループ表示部６１２と、グループ選択部６１４と、タグ表示部６２２と、タグ選択部６２４と、コメント入力部６３２と、コメント選択部６３４とを含む。
【００８１】
プレビュー画像６０２は、撮影部２０８が撮影している画像のプレビュー又はライブビューを表示する。グループ表示部６１２は、画像の閲覧を許可されるユーザのグルーブとして、ユーザに選択されたグループの名称を表示する。グループ選択部６１４は、ユーザが、画像の閲覧を許可されるユーザのグルーブを選択することを可能にする。例えば、グループ選択部６１４は、ユーザに対して、画像の閲覧を許可されるユーザのグルーブの一覧を提示する。
【００８２】
タグ表示部６２２は、画像の属性として、ユーザに選択された属性を示すタグを表示する。タグにより示される属性は特に限定されるものではないが、図６に示される例では、タグにより示される属性として、画像が撮影された状況に関する情報が示されている。タグ選択部６２４は、ユーザが、画像が撮影された状況に関する情報を選択することを可能にする。例えば、タグ選択部６２４は、ユーザに対して、画像が撮影された状況に関する情報の一覧を提示する。
【００８３】
コメント入力部６３２には、画像に対して付与されるコメントが入力される。コメント入力部６３２には、テキストデータ、音声データＧＩＦ形式のデータ、ＰＮＧ形式のデータ、ＪＰＥＧ形式のデータなどが入力される。コメント選択部６３４は、ユーザが、コメント入力部６３２に入力することのできるデータを選択することを可能にする。例えば、コメント選択部６３４は、ユーザに対して、ＧＩＦ形式のデータ、ＰＮＧ形式のデータ又はＪＰＥＧ形式のデータの一覧を提示する。
【００８４】
図７は、出力部２０４に表示される設定画面７００の一例を概略的に示す。設定画面７００は、画像の閲覧者に関する情報に関する設定を調整する目的で、ユーザに提示される画面の一例を示す。設定画面７００は、設定７０２と、設定７０４と、設定７１０とを含む。
【００８５】
設定７０２は、画像を画像管理サーバ１２０に送信する度に、当該画像の閲覧者に関する情報をユーザに入力又は選択させるか否かに関する設定を表示する。設定７０２において「する」を選択すると、画像送信部５０６が画像データを画像管理サーバ１２０に送信する前に、属性取得部５０４が画像の閲覧者に関する情報をユーザに問い合わせる。設定７０２において「しない」を選択すると、属性取得部５０４が画像の閲覧者に関する情報をユーザに問い合わせることなく、画像送信部５０６が画像データを画像管理サーバ１２０に送信する。
【００８６】
設定７０４は、設定７０２において「しない」が選択された場合に、画像の閲覧者に関する情報として、画像に付与される情報に関する設定（デフォルトの設定と称する場合がある。）を表示する。例えば、設定７０２において「しない」が選択され、設定７０４において、画像の閲覧を許可されるユーザのグルーブとして「プライベート」というグルーブが選択された場合、属性取得部５０４は、画像の属性として、自動的に「プライベート」という属性を付与する。
【００８７】
設定７１０は、画像の閲覧者に関する情報に関する設定を表示する。本実施形態において、設定７１０は、グループ名７１２と、閲覧用ＩＤ７１４と、パスフレーズ７１６に関する設定を含む。グループ名７１２は、画像の閲覧を許可されるユーザのグルーブを識別するための名称を示す。各グループの閲覧用ＩＤ７１４及びパスフレーズ７１６は、画像管理サーバ１２０に格納されている閲覧用データにアクセスするユーザを認証するために用いられる。各グループの閲覧用ＩＤ７１４は、各グループのそれぞれを識別するための情報であってもよく、各グループに属する１以上のユーザのそれぞれを識別する情報であってもよい。
【００８８】
本実施形態においては、グループ名７１２が、画像の閲覧を許可されるユーザのグルーブを示す場合について説明した。しかし、グループ名７１２は本実施形態に限定されない。グループ名７１２が、画像の閲覧を禁止されるユーザのグルーブを示してもよい。
【００８９】
図８は、クライアント端末１０２における処理の一例を概略的に示す。図８は、認証処理が完了した後、撮影処理が実行される場合における処理の一例を示す。本実施形態によれば、ステップ８０２（ステップをＳと称する場合がある。）において、撮影デバイス１１２のカメラ機能を利用するためのプログラムが、通信デバイス１１４上で実行される。上記のプログラムが起動すると、通信デバイス１１４の端末制御部４０６が、撮影部２０８を起動させるための命令を、撮影デバイス１１２に送信する。Ｓ８０４において、撮影デバイス１１２が上記の命令を受信すると、撮影部２０８が起動して、撮影デバイス１１２が撮影可能な状態になる。
【００９０】
上記のプログラムが起動すると、Ｓ８０６において、通信デバイス１１４と画像管理サーバ１２０との間で認証処理が実行される。認証処理が完了すると、通信デバイス１１４の端末制御部４０６が、認証処理が完了した旨を撮影デバイス１１２に通知する。Ｓ８０８において、端末制御部４０６が、撮影指示を受け付けるまで撮影部２０８を待機させるための命令を、撮影デバイス１１２に送信してもよい。
【００９１】
Ｓ８１０において、撮影指示受付部３０４が撮影指示を受け付けると、Ｓ８１２において、撮影処理部３０６が撮影処理を実行する。例えば、撮影処理部３０６は、撮像部２１２に対して、画像を撮影するステップと、撮影された画像を通信デバイス１１４に送信するステップとを実行させるための命令を送信する。撮影制御部２１４は、撮影処理部３０６から受信した命令に従って、画像を撮影し、撮影された画像を通信デバイス１１４に送信する。
【００９２】
Ｓ８１６において、通信デバイス１１４の画像送信部５０６が画像データを受信する。また、属性取得部５０４が当該画像の画像属性情報を取得する。属性取得部５０４は、当該画像の画像識別情報と、当該画像の画像属性情報とを対応付けて、記憶部４０８に格納してよい。画像送信部５０６は、画像データと、画像属性情報とを対応付けて、画像管理サーバ１２０に送信する。画像管理部５０８は、画像データを記憶部４０８に格納する。これにより、処理を終了する。
【００９３】
図９は、クライアント端末１０２における処理の他の例を概略的に示す。図８は、認証処理が完了する前に、撮影処理が実行される場合における処理の一例を示す。図９における処理は、Ｓ８０６において認証処理が実行される代わりに、Ｓ９１１において認証処理が実行される点において、図８における処理と相違する。本実施形態によれば、Ｓ８１０において、撮影指示受付部３０４が撮影指示を受け付けると、Ｓ８１２において、撮影処理部３０６が撮影処理を実行するとともに、Ｓ９１１において、通信デバイス１１４と画像管理サーバ１２０との間で認証処理が実行される。その他の点においては、図８における処理と同様であってよい。
【００９４】
図１０は、クライアント端末１０２における送信処理の一例を概略的に示す。図１０は、図８及び図９におけるＳ８１６における処理の一例を概略的に示す。本実施形態によれば、Ｓ１００２において、画像送信部５０６が通信状況を判断する。通信状況が不良であると判断された場合（Ｓ１００２のＮＯの場合）、Ｓ１００４において、画像送信部５０６が、予め定められた期間が経過するまで送信処理を中断する。予め定められた期間が経過すると、画像送信部５０６は、Ｓ１００２に戻って、再度、通信状況を判断する。
【００９５】
Ｓ１００２において、通信状況が不良であると判断された場合（Ｓ１００２のＹＥＳの場合）、Ｓ１０１０において、画像送信部５０６が、通信速度が予め定められた値よりも大きいか否かを判断する。通信速度が予め定められた値よりも大きいと判断された場合（Ｓ１０１０のＹＥＳの場合）、Ｓ１０２０に進み、画像送信部５０６が画像データを画像管理サーバ１２０に送信する。
【００９６】
一方、Ｓ１０１０において、通信速度が予め定められた値よりも大きくないと判断された場合（Ｓ１０１０のＮＯの場合）、Ｓ１０１２において、画像送信部５０６が、画像をリサイズするか否かについて判断する。画像をリサイズするか否かは、プログラムの設定情報に基づいて決定されてよい。
【００９７】
Ｓ１０１２において、画像をリサイズしないと判断された場合（Ｓ１０１２のＮＯの場合）、Ｓ１０１４において、画像送信部５０６が、予め定められた期間が経過するまで送信処理を中断する。予め定められた期間が経過すると、画像送信部５０６は、Ｓ１００２に戻って、再度、通信状況を判断する。
【００９８】
一方、Ｓ１０１２において、Ｓ１０１２において、画像をリサイズすると判断された場合（Ｓ１０１２のＹＥＳの場合）、Ｓ１０１６において、画像送信部５０６は、画像をリサイズして、画像データの容量を小さくする。その後、Ｓ１０２０に進み、画像送信部５０６が画像データを画像管理サーバ１２０に送信する。これにより、処理を終了する。
【００９９】
図１１は、画像管理サーバ１２０の一例を概略的に示す。本実施形態において、画像管理サーバ１２０は、ユーザ認証部１１０２と、画像管理部１１０４と、Ｗｅｂページ生成部１１０６と、一覧画面生成部１１０８と、ユーザ属性生成部１１１０と、広告配信部１１１２と、格納部１１２０とを備える。格納部１１２０は、画像データ格納部１１３２と、画像管理情報格納部１１３４と、画面レイアウト格納部１１３６と、Ｗｅｂページ格納部１１３８と、ユーザ属性格納部１１４０と、エリア属性格納部１１４２とを有する。
【０１００】
画像管理部１１０４は、コンテンツ管理部の一例であってよい。Ｗｅｂページ生成部１１０６及び一覧画面生成部１１０８は、閲覧用データ生成部の一例であってよい。格納部１１２０及び画像データ格納部１１３２は、コンテンツ格納部の一例であってよい。画像管理情報格納部１１３４は、閲覧者情報格納部の一例であってよい。
【０１０１】
ユーザ認証部１１０２は、１以上のクライアント端末の少なくとも１つを認証する。ユーザ認証部１１０２は、画像管理サーバ１２０により提供されるサービスに応じて、１以上のクライアント端末の少なくとも１つを認証してよい。
【０１０２】
例えば、画像管理サーバ１２０が、ユーザから受け取った画像データを管理するサービスを提供する場合、画像管理サーバ１２０にアクセスするクライアント端末１０２のユーザが、画像管理サーバ１２０に画像データを送信する正当な権限を有すると判断した場合に、当該ユーザを認証する。他の実施形態において、画像管理サーバ１２０が、ユーザのＷｅｂページをＷｅｂ上に公開するサービスを提供する場合、画像管理サーバ１２０にアクセスするクライアント端末１０２又はクライアント端末１０４のユーザが、１以上のＷｅｂページのそれぞれにアクセスする正当な権限を有すると判断した場合に、当該ユーザを認証する。
【０１０３】
画像管理部１１０４は、画像データを管理する。例えば、画像管理部１１０４は、ユーザ認証部１１０２により認証されたクライアント端末から画像データを受信して、受信した画像データを画像データ格納部１１３２に格納する。画像管理部１１０４は、画像データ格納部１１３２に格納される画像データを管理するための画像管理情報を、画像管理情報格納部１１３４に格納する。画像管理情報は、画像データを識別するための画像識別情報と、当該画像データのＵＲＬとが対応づけられた情報であってよい。画像管理情報は、画像データの画像識別情報と、当該画像データの画像属性情報とが対応づけられた情報であってもよい。画像管理情報は、画像データの画像識別情報と、当該画像データのＵＲＬと、当該画像データの画像属性情報とが対応づけられた情報であってもよい。
【０１０４】
画像管理部１１０４は、Ｗｅｂページ格納部１１３８に格納された１以上のＷｅｂページのうち、予め定められた期間にわたって更新されていないＷｅｂページを抽出する。一実施形態において、画像管理部１１０４は、抽出されたＷｅｂページの生成に用いられる画像データを消去する。他の実施形態において、画像管理部１１０４は、抽出されたＷｅｂページの生成に用いられる画像データの画像属性情報を変更する。画像管理部１１０４は、デフォルトの設定に基づいて、画像属性情報を変更してよい。例えば、Ｗｅｂページの生成に用いられる画像データの閲覧者に関する情報を、デフォルトのグループとして設定されているグループに変更する。画像管理部１１０４は、画像属性情報を変更した後、抽出されたＷｅｂページのデータを消去してよい。
【０１０５】
Ｗｅｂページ生成部１１０６は、１以上の画像データが、予め定められた規則に従って配置されたＷｅｂページを生成する。Ｗｅｂページは、閲覧用データの一例であってよい。予め定められた規則は、画面レイアウト格納部１１３６に格納されている画面レイアウトに関する情報であってよい。画面レイアウトは、画像データの解像度、画面上の位置及び大きさ、並びに、画像データとともに表示するモジュールの位置及び大きさなどを規定する。
【０１０６】
Ｗｅｂページ生成部１１０６は、画像データの画像属性情報に応じて、１以上のＷｅｂページを生成してよい。例えば、Ｗｅｂページ生成部１１０６は、画像データの閲覧者に関する情報に基づいて、１以上のＷｅｂページを作成する。例えば、Ｗｅｂページ生成部１１０６は、閲覧者のグループごとにＷｅｂページを作成する。Ｗｅｂページに新たな画像データを追加する場合、Ｗｅｂページ生成部１１０６は、画像データの閲覧者に関する情報に基づいて、１以上のＷｅｂページの中から、当該画像データを追加すべきＷｅｂページを選択する。これにより、クライアント端末１０２のユーザは、自己のブログを自動的に更新することができる。
【０１０７】
一覧画面生成部１１０８は、１以上の画像データのサムネイルが、予め定められた規則に従って配置された一覧画面を生成する。一覧画面は、一覧表示用の画面であり、閲覧用データの一例であってよい。予め定められた規則は、画面レイアウト格納部１１３６に格納されている画面レイアウトに関する情報であってよい。一覧画面の画面レイアウトは、ユーザに、空間的な奥行きを感じさせるように設計されていてよい。
【０１０８】
一覧画面生成部１１０８は、画像データの画像属性情報に応じて、一覧画面を生成してよい。例えば、一覧画面生成部１１０８は、画像データの撮影日時に基づいて、複数の画像データを複数の区分に分類する。一覧画面生成部１１０８は、ユーザが、複数の画像を区分ごとに区別できるように画面上に配置してよい。
【０１０９】
本実施形態において、一覧画面生成部１１０８が画像管理サーバ１２０に配される場合について説明した。しかし、一覧画面生成部１１０８は本実施形態に限定されない。他の実施形態において、一覧画面生成部１１０８は、通信デバイス１１４に配されてもよく、通信デバイス１１４及び画像管理サーバ１２０に配されてもよい。
【０１１０】
ユーザ属性生成部１１１０は、画像管理情報格納部１１３４に格納されている画像データの画像管理情報に基づいて、１以上のユーザのそれぞれの属性を決定する。ユーザ属性生成部１１１０は、１以上のユーザのそれぞれを識別するユーザ識別情報と、当該ユーザの属性とを対応付けえて、ユーザ属性情報を生成する。ユーザ属性生成部１１１０は、生成されたユーザ属性情報をユーザ属性格納部１１４０に格納する。
【０１１１】
ユーザ属性生成部１１１０は、エリア属性格納部１１４２に格納されたエリア属性情報を用いて、ユーザの属性を決定してよい。エリア属性情報は、予め定められた地理的範囲を有する１以上のエリアのそれぞれを識別するエリア識別情報と、当該エリアの位置情報と、当該エリアの属性に関する情報とが対応付けられた情報であってよい。位置情報としては、当該エリアの住所、当該エリアの緯度情報及び経度情報を例示することができる。エリアの属性に関する情報としては、当該エリア内に存在する施設により提供されるサービスの種類、当該サービスの価格帯、当該サービスの利用者の年齢又は性別の構成比率などを例示することができる。
【０１１２】
例えば、ユーザ属性生成部１１１０は、画像管理情報格納部１１３４を参照して、画像データの撮影場所に関する情報を取得する。ユーザ属性生成部１１１０は、各ユーザの画像データを解析して、出現頻度が予め定められた値よりも大きなエリアを抽出する。ユーザ属性生成部１１１０は、エリア属性格納部１１４２を参照して、抽出されたエリアの属性を、当該ユーザの属性として決定する。
【０１１３】
ユーザ属性生成部１１１０は、１以上のユーザの画像データを参照して、各エリアの属性を決定してもよい。例えば、ユーザ属性生成部１１１０は、画像データに付されたタグを解析して、各エリア内に存在する施設の利用目的、当該施設により提供されるサービスの種類、当該施設の利用される時間帯などを決定する。また、ユーザ属性生成部１１１０は、画像データを解析して、各エリア内に存在する施設の利用者の年齢又は性別の構成比率、当該施設により提供されるサービスの種類などを決定してもよい。
【０１１４】
ユーザ属性生成部１１１０は、１以上のユーザの画像データ又は画像属性情報に基づいて、複数のユーザの交友関係に関する情報を生成してもよい。例えば、ユーザ属性生成部１１１０は、顔認識技術により、１以上の画像のそれぞれについて、各画像に含まれる１以上の被写体を識別する被写体識別情報を取得する。
【０１１５】
ユーザ属性生成部１１１０は、被写体識別情報で識別される被写体のそれぞれについて、同一の画像に含まれる他の被写体及び当該画像を管理するユーザの出現頻度を算出する。ユーザ属性生成部１１１０は、被写体識別情報で識別される被写体のそれぞれについて、出現頻度が予め定められた値よりも大きな他の被写体を、当該被写体と交友関係のある被写体と決定する。ユーザ属性生成部１１１０は、出現頻度の大きさに応じて、交友関係を複数の区分に分類してもよい。画像データの画像属性情報に被写体識別情報が含まれている場合、ユーザ属性生成部１１１０は、画像属性情報に含まれる被写体識別情報を用いて、複数のユーザの交友関係に関する情報を生成してよい。
【０１１６】
広告配信部１１１２は、ユーザ属性格納部１１４０に格納されているユーザ属性情報に基づいて、クライアント端末１０２のユーザに適した広告情報を選択する。広告配信部１１１２は、選択された広告情報をクライアント端末１０２に配信する。
【０１１７】
広告情報は、クライアント端末１０２のユーザに対して告知される情報であれば、特に限定されない。広告情報は、配信者の商品又はサービスに関する情報であってよい。商品又はサービスに関する情報は、商品又はサービスの割引情報（クーポン情報と称される場合がある。）、イベントの告知情報などであってよい。広告情報は、公共交通機関の運休情報、遅延情報、渋滞情報などであってよい。広告情報は、局所的な豪雨、落雷、突風などに関する警報又は注意報であってよい。広告情報は、災害に関する情報であってよい。
【０１１８】
図１２は、Ｗｅｂページ生成部１１０６により生成された画面１２００の一例を示す。画面１２００は、クライアント端末１０２のユーザのブログの画面であってよい。本実施形態において、画面１２００は、画像１２０２と、画像１２０２を含む記事を選択するための選択ボックス１２０４と、画像１２１２と、画像１２１２を含む記事を選択するための選択ボックス１２１４と、選択された記事に対して実行可能な処理を表示するコマンド表示部１２２０とを含む。選択された記事に対して実行可能な処理は、当該記事の削除、当該記事に含まれる画像の属性情報の変更、当該記事に含まれるコメントの編集などを例示することができる。
【０１１９】
画面１２００は、ブログ用の画面レイアウトに基づいて作成される。例えば、画像１２０２及び画像１２１２は、予め定められた解像度及び大きさにリサイズされている。また、画像１２０２及び画像１２１２の下部にそれぞれの画像が撮影された日時が記載されている。画面１２００は、当該ブログを管理するユーザのコメントを表示するモジュール、他のユーザからのコメントを受け付けるモジュール、広告情報を表示するモジュールなどをさらに含んでもよい。広告情報は、画像１２０２又は画像１２１２の属性に適した広告情報であってもよく、当該ブログを管理するユーザの属性に適した広告情報であってもよく、画面１２００を閲覧しているユーザの属性に適した広告情報であってもよい。
【０１２０】
図１３は、画像管理情報を格納するテーブル１３００の一例を概略的に示す。本実施形態において、テーブル１３００は、画像を管理するユーザを識別するユーザＩＤ１３０２と、１以上の画像のそれぞれを識別する画像ＩＤ１３０４と、当該画像の格納先を示す画像のＵＲＬ１３０６と、当該画像の画像属性情報１３０８とを対応付けて格納する。画像属性情報１３０８は、当該画像の閲覧を許可されるユーザのグルーブ１３１２に関する情報、当該画像に付与されたタグ１３１４に関する情報、当該画像の撮影日時１３１６に関する情報、当該画像の撮影場所１３１８に関する情報などを含む。
【０１２１】
本実施形態においては、クライアント端末１０２が、撮影デバイス１１２及び通信デバイス１１４を備え、撮影デバイス１１２及び通信デバイス１１４が近距離無線通信により情報を送受する場合について説明した。しかし、クライアント端末１０２は本実施形態に限定されない。他の実施形態において、入力部２０２、出力部２０４、撮影部２０８、移動体通信部４０４、端末制御部４０６及び記憶部４０８が、１つの筐体中に配されてもよい。
【０１２２】
本実施形態においては、認証処理、撮影処理及び送信処理が、撮影制御部２１４及び端末制御部４０６において実行される場合について説明した。しかし、クライアント端末１０２は本実施形態に限定されない。他の実施形態において、認証処理、撮影処理及び送信処理が、撮影制御部２１４及び端末制御部４０６の何れか一方において実行されてもよい。さらに他の実施形態において、認証処理、撮影処理及び送信処理のうち１以上の処理が、撮影制御部２１４において実行され、残りの処理が端末制御部４０６において実行されてもよい。
【０１２３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【０１２４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。各ステップを実施する順序及びタイミングは、技術的に矛盾が生じない範囲において、適宜、変更してよい。
［項目１］
コンピュータが、通信ネットワークを介して上記コンピュータと情報を送受する画像管理サーバとの間の認証処理が完了した後、撮影指示を受け付ける段階と、
上記コンピュータが、上記撮影指示に基づいて、
撮影処理を実行し、
撮影された画像の上記画像管理サーバへの送信処理を実行する段階と、
を有する方法。
［項目２］
コンピュータが、撮影指示を受け付ける段階と、
上記コンピュータが、上記撮影指示に基づいて、
撮影処理を実行し、
通信ネットワークを介して、画像管理サーバとの間で認証処理を実行し、
撮影された画像の上記画像管理サーバへの送信処理を実行する段階と、
を有する方法。
［項目３］
上記送信処理は、
ユーザから、上記撮影された画像の属性情報の入力を受け付けるステップと、
上記撮影された画像及び上記属性情報を対応付けて、上記画像管理サーバに送信するステップと、
を有する、
項目１又は項目２に記載の方法。
［項目４］
上記属性情報は、上記撮影された画像の閲覧者に関する情報を含む、
項目３に記載の方法。
［項目５］
上記送信処理は、
上記閲覧者に関する情報の要否を判断するステップと、
上記閲覧者に関する情報が必要であると判断された場合に、ユーザから、上記撮影された画像の閲覧者に関する情報を取得するステップと、
を有する、
項目４に記載の方法。
［項目６］
上記送信処理は、
通信状況を判断するステップと、
上記通信状況が良好であると判断された場合に、上記撮影された画像を上記画像管理サーバに送信するステップと、
通信状況が不良であると判断された場合に、上記送信処理を中断するステップと、
を有する、
項目１から項目５までの何れか一項に記載の方法。
［項目７］
上記撮影された画像を、有線回線及び近距離無線回線の少なくとも一方を介して、上記画像管理サーバとは別の記憶装置に保存する保存処理を実行する段階と、
上記保存されている画像の容量又は上記記憶装置の記憶容量が予め定められた条件を満たす場合に、上記保存されている画像の属性情報に基づいて、上記記憶装置に保存されている画像の少なくとも一部を消去する段階と、
を更に備える、
項目１から項目６までの何れか一項に記載の方法。
［項目８］
上記認証処理は、
メモリに格納された上記画像管理サーバの認証情報を読み出すステップと、
上記メモリから読み出された上記認証情報を、上記画像管理サーバに送信するステップと、
を有する、
項目１から項目７までの何れか一項に記載の方法。
［項目９］
コンピュータが、通信ネットワークを介して、コンテンツ管理サーバとの間で認証処理を実行する段階と、
コンピュータが、通信ネットワークを介して上記コンピュータと情報を送受するコンテンツ管理サーバとの間の認証処理が完了した後、コンテンツ取得指示を受け付ける段階と、
上記コンピュータが、上記コンテンツ取得指示に基づいて、
コンテンツ取得処理を実行し、
取得されたコンテンツの上記コンテンツ管理サーバへの送信処理を実行する段階と、
を有し、
上記コンテンツは、画像データ、音声データ、嗅覚データ、味覚データ及び触覚データからなる群から選択される少なくとも１つである、
方法。
［項目１０］
コンピュータが、コンテンツ取得指示を受け付ける段階と、
上記コンピュータが、上記コンテンツ取得指示に基づいて、
コンテンツ取得処理を実行し、
通信ネットワークを介して、コンテンツ管理サーバとの間で認証処理を実行し、
取得されたコンテンツの上記コンテンツ管理サーバへの送信処理を実行する段階と、
を有し、
上記コンテンツは、画像データ、音声データ、嗅覚データ、味覚データ及び触覚データからなる群から選択される少なくとも１つである、
方法。
［項目１１］
コンピュータに、項目１から項目１０までの何れか一項に記載の方法を実行させるためのプログラム。
［項目１２］
通信ネットワークを介した画像管理サーバとの間の認証処理が完了した後、撮影指示を受け付ける指示受付部と、
上記撮影指示に基づいて、
撮影処理を実行し、
撮影された画像の上記画像管理サーバへの送信処理を実行する処理実行部と、
を備える情報処理装置。
［項目１３］
撮影指示を受け付ける指示受付部と、
上記撮影指示に基づいて、
撮影処理を実行し、
通信ネットワークを介して、画像管理サーバとの間で認証処理を実行し、
撮影された画像の上記画像管理サーバへの送信処理を実行する処理実行部と、
を備える情報処理装置。
［項目１４］
通信ネットワークを介して、１以上のクライアント端末と情報を送受する情報処理装置であって、
上記１以上のクライアント端末の少なくとも１つを認証する認証部と、
上記認証部により認証されたクライアント端末からコンテンツを受信し、コンテンツ格納部に格納するコンテンツ管理部と、
上記コンテンツ格納部に格納されたコンテンツが予め定められた規則に従って配置された、１以上の閲覧用データを生成する閲覧用データ生成部と、
を備え、
上記コンテンツ管理部は、
上記１以上の閲覧用データのうち、予め定められた期間にわたって更新されていない閲覧用データを抽出し、
抽出された閲覧用データの生成に用いられるコンテンツを上記コンテンツ格納部から消去する、又は、上記抽出された閲覧用データの生成に用いられるコンテンツの属性情報を変更する、
情報処理装置。
［項目１５］
上記コンテンツ管理部は、１以上の上記コンテンツのそれぞれを識別するコンテンツ識別情報と、上記コンテンツ識別情報により識別されるコンテンツの閲覧を許可される閲覧者又は上記閲覧を許可されない閲覧者を識別する閲覧者識別情報とを対応付けて、閲覧者情報格納部に格納し、
上記閲覧用データ生成部は、上記閲覧者識別情報に基づいて、上記１以上の閲覧用データを生成する、
項目１４に記載の情報処理装置。
［項目１６］
コンピュータを、項目１２から項目１５までの何れか一項に記載の情報処理装置として機能させるためのプログラム。
【符号の説明】
【０１２５】
１０  通信ネットワーク、  １００  画像管理システム、  １０２  クライアント端末、  １０４  クライアント端末、  １１２  撮影デバイス、  １１４  通信デバイス、  １２０  画像管理サーバ、  ２０２  入力部、  ２０４  出力部、  ２０６  近距離通信部、  ２０８  撮影部、  ２１２  撮像部、  ２１４  撮影制御部、  ３０２  撮影指示生成部、  ３０４  撮影指示受付部、  ３０６  撮影処理部、  ４０２  近距離通信部、  ４０４  移動体通信部、  ４０６  端末制御部、  ４０８  記憶部、  ５０２  認証処理部、  ５０４  属性取得部、  ５０６  画像送信部、  ５０８  画像管理部、  ６００  操作画面、  ６０２  プレビュー画像、  ６１２  グループ表示部、  ６１４  グループ選択部、  ６２２  タグ表示部、  ６２４  タグ選択部、  ６３２  コメント入力部、  ６３４  コメント選択部、  ７００  設定画面、  ７０２  設定、  ７０４  設定、  ７１０  設定、  ７１２  グループ名、  ７１４  閲覧用ＩＤ、  ７１６  パスフレーズ、  １１０２  ユーザ認証部、  １１０４  画像管理部、  １１０６  Ｗｅｂページ生成部、  １１０８  一覧画面生成部、  １１１０  ユーザ属性生成部、  １１１２  広告配信部、  １１２０  格納部、  １１３２  画像データ格納部、  １１３４  画像管理情報格納部、  １１３６  画面レイアウト格納部、  １１３８  Ｗｅｂページ格納部、  １１４０  ユーザ属性格納部、  １１４２  エリア属性格納部、  １２００  画面、  １２０２  画像、  １２０４  選択ボックス、  １２１２  画像、  １２１４  選択ボックス、  １２２０  コマンド表示部、  １３００  テーブル、  １３０２  ユーザＩＤ、  １３０４  画像ＩＤ、  １３０６  ＵＲＬ、  １３０８  画像属性情報、  １３１２  グルーブ、  １３１４  タグ、  １３１６  撮影日時、  １３１８  撮影場所
【図１】
0005905865.tif 000002
【図２】
0005905865.tif 000003
【図３】
0005905865.tif 000004
【図４】
0005905865.tif 000005
【図５】
0005905865.tif 000006
【図６】
0005905865.tif 000007
【図７】
0005905865.tif 000008
【図８】
0005905865.tif 000009
【図９】
0005905865.tif 000010
【図１０】
0005905865.tif 000011
【図１１】
0005905865.tif 000012
【図１２】
0005905865.tif 000013
【図１３】
0005905865.tif 000014